(57)【要約】      （修正有）【課題】複数の処理を受けるワークの履歴情報を効率良く管理できる管理システムなどを提供すること。【解決手段】複数の処理を受けるワークの履歴情報を、ワークの処理単位であるロット毎に管理する管理装置２０と、管理装置２０に情報を送信する情報処理装置３０とを有する管理システム１０において、管理装置２０は、ワークの履歴情報をロットのＩＤに対応付けて記憶するデータベース２２と、データベース２２を管理する管理部２４とを有し、情報処理装置３０は、ロットの分割を示す分割情報を管理装置２０に送信し、管理装置２０が、分割情報を情報処理装置３０から受信すると、管理部２４は、分割前のロットのＩＤを、分割後の１つのロットのＩＤとするようにデータベース２２を更新する管理システム１０を提供する。【選択図】図１
2012068975.tif 000002
【特許請求の範囲】
【請求項１】
複数の処理を受けるワークの履歴情報を、ワークの処理単位であるロット毎に管理する管理装置と、該管理装置に情報を送信する情報処理装置とを有する管理システムにおいて、
前記管理装置は、ワークの履歴情報をロットのＩＤに対応付けて記憶するデータベースと、該データベースを管理する管理部とを有し、
前記情報処理装置は、ロットの分割を示す分割情報を前記管理装置に送信し、
前記管理装置が、前記分割情報を前記情報処理装置から受信すると、前記管理部は、分割前のロットのＩＤを、分割後の１つのロットのＩＤとするように前記データベースを更新する管理システム。
【請求項２】
前記情報処理装置は、ロットの統合を示す統合情報を前記管理装置に送信し、
前記管理装置が、前記統合情報を前記情報処理装置から受信すると、前記管理部は、統合前の複数のロットのＩＤのうちの１つを、統合後のロットのＩＤとするように前記データベースを更新する請求項１に記載の管理システム。
【請求項３】
前記情報処理装置は、携帯可能な装置であって、印刷物を作成するプリンタを有し、
前記管理部は、ロットのＩＤを新たに作成するとき、新たなＩＤを印刷物に印刷するためのジョブを作成し、該ジョブを前記情報処理装置に送信し、
前記情報処理装置が、前記ジョブを前記管理装置から受信すると、前記プリンタは、前記ジョブに従って印刷物を作成する請求項１または２に記載の管理システム。
【請求項４】
複数の処理を受けるワークの履歴情報を、ワークの処理単位であるロット毎に管理する管理装置と、該管理装置に情報を送信する情報処理装置とを有する管理システムが情報を管理する管理方法において、
前記管理装置は、ワークの履歴情報をロットのＩＤに対応付けて記憶するデータベースと、該データベースを管理する管理部とを有し、
前記管理方法は、
前記情報処理装置が、ロットの分割を示す分割情報を前記管理装置に送信する工程と、
前記管理装置が、前記分割情報を前記情報処理装置から受信すると、前記管理部が、分割前のロットのＩＤを、分割後の１つのロットのＩＤとするように前記データベースを更新する工程とを有する管理方法。
【請求項５】
前記情報処理装置が、ロットの統合を示す統合情報を前記管理装置に送信する工程と、
前記管理装置が、前記統合情報を前記情報処理装置から受信すると、前記管理部が、統合前の複数のロットのＩＤのうちの１つを、統合後のロットのＩＤとするように前記データベースを更新する工程とを有する請求項４に記載の管理方法。
【請求項６】
前記情報処理装置は、携帯可能な装置であって、印刷物を作成するプリンタを有し、
前記管理方法は、
前記管理部が、ロットのＩＤを新たに作成するとき、新たなＩＤを印刷物に印刷するためのジョブを作成し、該ジョブを前記情報処理装置に送信する工程と、
前記情報処理装置が、前記ジョブを前記管理装置から受信すると、前記プリンタが、前記ジョブに従って印刷物を作成する工程とを有する請求項４または５に記載の管理方法。
【発明の詳細な説明】
【技術分野】
【０００１】
本発明は、複数の処理を受けるワークの履歴情報を管理する管理システムおよび管理方法に関する。
【背景技術】
【０００２】
従来から、複数の処理を受けるワークの履歴情報をワーク毎に管理する管理方法が知られている（例えば、特許文献１参照）。この方法では、ワーク毎にＩＤを付与するので、ワークの数が多すぎると、ＩＤの数が多すぎて、ワークの履歴情報の管理が煩雑となる。
【０００３】
これに対し、ＩＤの数を減らすため、ワークの処理単位であるロット毎に情報を管理する管理方法が提案されている（例えば、特許文献２参照）。この方法では、ロット毎にＩＤが付与されるので、ロットが分割、統合される度に、分割、統合後の各ロットに新ＩＤ（ロット番号）を付与すると共に、分割、統合の前後における新ＩＤと旧ＩＤとの対応関係を記憶することで、ワークの履歴情報を管理する。
【先行技術文献】
【特許文献】
【０００４】
【特許文献１】特開平８−３２９１５０号公報
【特許文献２】特開平２−１７２６５９号公報
【発明の概要】
【発明が解決しようとする課題】
【０００５】
しかしながら、従来の管理方法では、ロットが分割、統合される度に、分割、統合後の各ロットに新ＩＤを付与するので、ロットの分割、統合が繰り返されると、ＩＤの数が膨大となって、管理効率が悪くなることがあった。
【０００６】
本発明は、上記課題に鑑みてなされたものであって、複数の処理を受けるワークの履歴情報を効率良く管理できる管理システムおよび管理方法の提供を目的とする。
【課題を解決するための手段】
【０００７】
上記課題を解決するため、本発明は、
複数の処理を受けるワークの履歴情報を、ワークの処理単位であるロット毎に管理する管理装置と、該管理装置に情報を送信する情報処理装置とを有する管理システムにおいて、
前記管理装置は、ワークの履歴情報をロットのＩＤに対応付けて記憶するデータベースと、該データベースを管理する管理部とを有し、
前記情報処理装置は、ロットの分割を示す分割情報を前記管理装置に送信し、
前記管理装置が、前記分割情報を前記情報処理装置から受信すると、前記管理部は、分割前のロットのＩＤを、分割後の１つのロットのＩＤとするように前記データベースを更新する管理システムを提供する。
【０００８】
また、本発明は、
複数の処理を受けるワークの履歴情報を、ワークの処理単位であるロット毎に管理する管理装置と、該管理装置に情報を送信する情報処理装置とを有する管理システムが情報を管理する管理方法において、
前記管理装置は、ワークの履歴情報をロットのＩＤに対応付けて記憶するデータベースと、該データベースを管理する管理部とを有し、
前記管理方法は、
前記情報処理装置が、ロットの分割を示す分割情報を前記管理装置に送信する工程と、
前記管理装置が、前記分割情報を前記情報処理装置から受信すると、前記管理部が、分割前のロットのＩＤを、分割後の１つのロットのＩＤとするように前記データベースを更新する工程とを有する管理方法を提供する。
【発明の効果】
【０００９】
本発明によれば、複数の処理を受けるワークの履歴情報を効率良く管理できる管理システムおよび管理方法を提供できる。
【図面の簡単な説明】
【００１０】
【図１】本発明の一実施形態による管理システムの概略図である。
【図２】図１に示す管理システムが適用される、ワークの処理工程の一例の説明図である。
【図３】図２に示すワークの処理工程における、ロットのＩＤの一例の説明図である。
【図４】ロットのＩＤを記録した現品票の一例の説明図である。
【図５】情報処理装置が画像表示するメニュー画像の一例の説明図である。
【図６】情報処理装置が画像表示するサブメニュー画像の一例の説明図である。
【図７】データベースに記憶されるデータの一例の説明図（１）である。
【図８】データベースに記憶されるデータの一例の説明図（２）である。
【図９】管理部が実行する第１処理例のフローチャートである。
【図１０】管理部が実行する第２処理例のフローチャートである。
【発明を実施するための形態】
【００１１】
以下、本発明を実施するための形態について図面を参照して説明する。
【００１２】
（管理システムの概要）
図１は、本発明の一実施形態による管理システムを示す概略図である。本実施形態の管理システム１０は、複数の処理を受けるワークの履歴情報を、ワークの処理単位であるロット毎に管理するシステムである。そのため、この管理システム１０では、ＩＤは、ロット毎に付与されており、ワーク毎に付与されていない。
【００１３】
ワークを処理する処理装置は、製品の種類に応じて適宜選定されるが、例えば、熱処理装置、切断機、研磨機、梱包装置などを含む。これらの処理装置は、バッチ式の処理装置であるので、一度に処理可能なワークの数量が互いに異なる。そのため、ワークの処理が進むにつれて、ワークの処理単位であるロットの分割や統合が生じる。以下、ワークの処理工程の代表例として、フォトマスク用のガラスの製造、出荷工程について、図２および図３に基づいて説明する。
【００１４】
図２および図３に示すように、先ず、熱処理工程Ｓ２０では、ロットＬ１０として投入されたガラス原料１を熱処理して所定形状のガラスブロック３を作製する。この熱処理工程Ｓ２０では、ワークの形態が粉状からブロック状に変わる。次いで、切断工程Ｓ２２では、ガラスブロック３を切断して複数のガラス板４を作製する。この切断工程Ｓ２２では、ワークの形態がブロック状から板状に変わる。次いで、複数のガラス板４で構成されるロットＬ１０を分割したうえで、１次研磨工程Ｓ２４に進み、分割したロットＬ１１〜Ｌ１２毎にガラス板４を１次研磨する。次いで、各ロットＬ１１〜Ｌ１２をさらに分割したうえで、２次研磨工程Ｓ２６に進み、分割したロットＬ１３〜Ｌ１８毎にガラス板４を２次研磨する。次いで、ロットＬ１３〜Ｌ１８を所定の組合せで統合したうえで、梱包工程Ｓ２８に進み、統合したロットＬ１９〜Ｌ２１毎にガラス板４を箱５に梱包し、出荷する。１次研磨工程Ｓ２４、２次研磨工程Ｓ２６、梱包工程Ｓ２８では、ワークの形態は板状のまま変わらない。
【００１５】
これらの工程間において、ワークをロット毎に一時的に保管する場合、各ロットを識別するため、ロットのＩＤ（ロット番号）を記録した現品票が、各ロットに添付される。現品票は、各ロットを収容する容器などに貼付される。なお、各工程中において、現品票は、ワークの処理装置などに付されて良い。
【００１６】
図４は、ロットのＩＤを記録した現品票の一例の説明図である。図４に示すように、現品票には、ロットのＩＤなどが記録されている。ロットのＩＤは、一連の処理工程において固有のものであって、文字や数字、記号、これらを表すバーコード、２次元コードなどの形態で記録される。
【００１７】
なお、本発明の管理システムが適用される、ワークの処理工程に制限はなく、例えば、ワークの処理工程は、プレス成形ガラスレンズの製造工程、ＬＴＣＣ（Ｌｏｗ  Ｔｅｍｐｅｒａｔｕｒｅ  Ｃｏ−ｆｉｒｅｄ  Ｃｅｒａｍｉｃｓ）基板の製造工程、ハードディスク用ガラス基板の製造工程、フォトマスク用研磨基板の製造工程、光学ドライブ用光ピックアップ部品の製造工程、などであって良い。
【００１８】
（管理システムの構成）
次に、図１に基づいて、管理システム１０の構成について説明する。
管理システム１０は、例えば、図１に示すように、複数の処理を受けるワークの履歴情報を、ワークの処理単位であるロット毎に管理する管理装置２０と、管理装置２０に情報を送信する情報処理装置３０とを有する。以下、各構成について説明する。
【００１９】
（情報処理装置）
情報処理装置３０は、インターネットやＬＡＮなどのネットワーク４０を介して、管理装置２０と接続されている。情報処理装置３０は、例えば、ユーザによる入力操作を受け付ける情報端末で構成される。情報処理装置３０は、携帯性の観点から、携帯電話やＰＤＡ、モバイルパソコンなどの携帯端末であって良い。
【００２０】
情報処理装置３０は、管理装置２０に情報を送信する装置である。情報処理装置３０が管理装置２０に送信する情報は、ユーザの識別情報、ロットに関するロット情報などを含む。これらの情報は、通常、ユーザによって手入力されるが、情報処理装置３０が有する各種センサによって自動で入力されても良い。
【００２１】
ロット情報は、例えば、ワークの処理工程に関する工程情報、ロットの分割を示す分割情報、ロットの統合を示す統合情報などを含む。
【００２２】
工程情報は、処理工程の種類や処理条件、処理に供するロットのＩＤ、処理に供するロットを構成するワークの数量などの情報を含んでいる。工程情報として入力する項目は、処理工程の種類に応じて決定される。例えば、熱処理工程Ｓ２０に特有の項目としては、熱処理温度、熱処理雰囲気などが挙げられる。また、１次研磨工程Ｓ２４に特有の項目としては、研磨機の種類、研磨材の種類、研磨板の回転速度、研磨後に廃棄した廃棄品の有無や数量などが挙げられる。
【００２３】
分割情報は、分割前のロットのＩＤ、分割後のロットの数、分割後（または分割前）に行われる直近の処理工程の種類、分割後の各ロットを構成するワークの数量などの情報を含んでいる。分割後に行われる直近の処理工程（即ち、ロットを分割して実施する処理工程）の種類としては、特に限定されないが、例えば、図２に示すように、１次研磨工程Ｓ２４、２次研磨工程Ｓ２６がある。
【００２４】
統合情報は、統合前のロットのＩＤ、統合後のロットの数、統合後（または統合前）に行われる直近の処理工程の種類、統合後の各ロットを構成するワークの数量などの情報を含んでいる。統合後に行われる直近の処理工程（即ち、ロットを統合して実施する処理工程）の種類としては、特に限定されないが、例えば、図２に示すように、梱包工程Ｓ２８がある。
【００２５】
情報処理装置３０は、ユーザが情報を入力するためのメニュー画像を表示する表示装置３２を有している。表示装置３２は、一般的な構成であって良く、例えば液晶ディスプレイや有機ＥＬディスプレイなどで構成される。
【００２６】
図５に示すメニュー画像は、ユーザが所定の入力操作を行うことで、情報処理装置３０の表示装置３２に画像表示される。このメニュー画像を見たユーザは、ボタンＢ５１〜Ｂ５３を選択すれば、工程情報、分割情報、統合情報などの各種情報を入力するためのサブメニュー画像を表示できることを視覚的に理解できる。
【００２７】
図６に示すサブメニュー画像は、図５に示すボタンＢ５１をユーザが選択したときに、情報処理装置３０の表示装置３２に画像表示される。このサブメニュー画像を見たユーザは、欄Ｃ６１に工程の種類を入力し、欄Ｃ６２にロットのＩＤを入力し、欄Ｃ６３にワークの数量を入力し、欄Ｃ６４〜Ｃ６５に工程の実施条件を入力すればよいことを視覚的に理解できる。
【００２８】
また、情報処理装置３０は、現品票に記録されたロットのＩＤを読み取り可能な読み取り装置３４をさらに有している。読み取り装置３４は、一般的な構成であって良く、例えばカメラなどで構成される。これによって、ロットのＩＤの入力操作を簡略化できる。また、ロットのＩＤの現品票と同様な工程票を用意し、この工程票に工程名や実施条件を記録しておき、読み取り装置３４によって工程名や実施条件の入力操作を簡略化できる。
【００２９】
さらに、情報処理装置３０は、携帯可能な装置であって、印刷物を作成するプリンタ３６をさらに有している。情報処理装置３０は、ロットの新ＩＤを印刷物に印刷するためのジョブを管理装置２０から受信すると、受信したジョブに従って印刷物を作成する。これによって、新ＩＤを印刷した印刷物を、現品票としてロットに添付できる。また、情報処理装置３０は携帯可能であるので、新ＩＤを印刷した印刷物を所望の場所で出力できる。図１ではプリンタ３６は情報処理装置３０と一体となっているが、プリンタ３６は情報処理装置３０と別筐体で通信ケーブルやワイヤレスの通信手段で情報処理装置３０の制御によって印刷できるものでも良い。
【００３０】
（管理装置）
管理装置２０は、ワークの履歴情報をロットのＩＤに対応付けて記憶するデータベース２２を有する。データベース２２は、図７に示すように、ロットのＩＤ毎に、処理工程の種類および実施条件などを記憶すると共に、図８に示すように、分割、統合の前後における旧ＩＤと新ＩＤとの対応関係を記憶することで、ワークの履歴情報を記憶している。また、データベース２２は、図８に示すように、分割や統合の後（または前）に行われる直近の処理工程の種類を記憶している。
【００３１】
この管理装置２０は、データベース２２を管理する管理部２４を有する。管理部２４は、図示しないバスを介して互いに接続されたＣＰＵ、ＲＯＭ、およびＲＡＭなどからなるコンピュータで構成される。コンピュータは、ＲＯＭ等に格納された各種プログラムをＣＰＵに実行させることで、管理部２４が有する後述の各種機能を実現する。
【００３２】
管理部２４は、管理装置２０が情報処理装置３０から受信する情報に基づいて、データベース２２を管理する機能を有する。
【００３３】
例えば、管理部２４は、管理装置２０が情報処理装置３０から受信した工程情報を、データベース２２に反映する機能を有する。工程情報は、ロットのＩＤと対応付けてデータベース２２に記憶される。
【００３４】
また、管理部２４は、管理装置２０が情報処理装置３０から分割情報を受信すると、分割前のロットのＩＤを、分割後の１つのロットのＩＤとするようにデータベース２２を更新する機能を有する。これによって、従来のように、分割後の各ロットのＩＤを全て新規作成する場合に比べて、ＩＤの数を削減でき、管理効率を向上できる。
【００３５】
この更新の際、管理部２４は、分割後の残りの各ロットのＩＤを新たに作成し、作成した新ＩＤをデータベース２２に記憶する。また、この更新の際、管理部２４は、分割の前後における旧ＩＤと新ＩＤとの対応関係、および分割後（または分割前）に行われる直近の処理工程の種類をデータベース２２に記憶する。
【００３６】
さらに、管理部２４は、管理装置２０が情報処理装置３０から統合情報を受信すると、統合前の複数のロットのＩＤのうちの１つを、統合後のロットのＩＤとするようにデータベース２２を更新する機能を有する。これによって、従来のように、統合後の各ロットのＩＤを全て新規作成する場合に比べて、ＩＤの数を削減でき、管理効率を向上できる。
【００３７】
この更新の際、管理部２４は、統合の前後における旧ＩＤと新ＩＤとの対応関係、および統合後（または統合前）に行われる直近の処理工程の種類をデータベース２２に記憶する。
【００３８】
さらにまた、管理部２４は、ロットのＩＤを新たに作成して、新ＩＤをデータベース２２に記憶するとき、新ＩＤを印刷物に印刷するためのジョブを作成し、作成したジョブを情報処理装置３０に送信する機能を有している。情報処理装置３０は、ジョブを管理装置２０から受信すると、プリンタ３６が、新ＩＤを印刷した印刷物を作成する。ユーザは、この印刷物を、現品票として、ロットに添付できる。
【００３９】
なお、管理部２４は、管理装置２０が情報処理装置３０から受信するユーザＩＤ情報と、データベース２２に予め記憶された認証情報とを照合して、上記各種機能を実際に実施するか否かを決定しても良い。これによって、権限のないユーザによる操作を防止できる。
【００４０】
図９は、管理部が実行する第１処理例のフローチャートである。図９のＳ９０以降の処理は、所定時間毎に繰り返し実行される。
【００４１】
図９のＳ９０では、管理装置２０による分割情報の受信の有無をチェックし、分割情報の受信がないとき（Ｓ９０、ＮＯ）、今回の処理を終了する。一方、分割情報の受信があるとき（Ｓ９０、ＹＥＳ）、後述のＳ９２に進む。
【００４２】
次いで、Ｓ９２では、分割情報に基づいて、分割前のロットのＩＤを、分割後の１つのロットのＩＤとするようにデータベース２２を更新する。これによって、従来のように、分割後の各ロットのＩＤを全て新規作成する場合に比べて、ＩＤの数を削減でき、管理効率を高めることができる。
【００４３】
この更新の際、分割後の残りの各ロットのＩＤを新たに作成して、作成した新ＩＤをデータベース２２に記憶する。また、この更新の際、分割の前後における旧ＩＤと新ＩＤとの対応関係、および分割後（または分割前）に行われる直近の処理工程の種類をデータベース２２に記憶する。
【００４４】
最後に、Ｓ９４では、新ＩＤを印刷物に印刷するためのジョブを作成し、作成したジョブを情報処理装置３０に送信して、今回の処理を終了する。情報処理装置３０がジョブを受信すると、プリンタ３６が新ＩＤを印刷した印刷物を作成する。ユーザは、この印刷物を、現品票として、新ＩＤが割り当てられたロットに添付する。なお、分割前のＩＤを継承したロットには、古い現品票をそのまま添付する。
【００４５】
図１０は、管理部が実行する第２処理例のフローチャートである。図１０のＳ１００以降の処理は、所定時間毎に繰り返し実行される。
【００４６】
図１０のＳ１００では、管理装置２０による統合情報の受信の有無をチェックし、統合情報の受信がないとき（Ｓ１００、ＮＯ）、今回の処理を終了する。一方、統合情報の受信があるとき（Ｓ１００、ＹＥＳ）、後述のＳ１０２に進む。
【００４７】
次いで、Ｓ１０２では、統合情報に基づいて、統合前の複数のロットのＩＤのうちの１つを、統合後のロットのＩＤとするようにデータベース２２を更新して、今回の処理を終了する。これによって、従来のように、統合後の各ロットのＩＤを全て新規作成する場合に比べて、ＩＤの数を削減でき、管理効率を高めることができる。
【００４８】
この更新の際、統合の前後における旧ＩＤと新ＩＤとの対応関係、および統合後（または統合前）に行われる直近の処理工程の種類をデータベース２２に記憶する。
【００４９】
その後、ユーザは、統合前のＩＤを継承したロットに、該ＩＤを記録した古い現品票をそのまま添付する。
【００５０】
（管理方法）
次に、再度、図２および図３を参照して、上記構成とした管理システム１０が情報を管理する管理方法の一例について説明する。
先ず、図２の熱処理工程Ｓ２０に進む前に、ユーザは、ガラス原料１の処理単位であるロットＬ１０に新ＩＤを付与するため、情報処理装置３０を用いて、ＩＤの申請情報、ユーザの識別情報を入力する。情報処理装置３０は、入力された情報を管理装置２０に送信する。
【００５１】
管理装置２０は、これらの情報を受信すると、まず、ユーザの識別情報と、データベース２２に予め記憶された認証情報とを照合して、ユーザがＩＤを申請する権限を有していることを確認する。次いで、管理装置２０は、新ＩＤを作成して、新ＩＤをデータベース２２に記憶すると共に、新ＩＤを印刷物に印刷するためのジョブを作成し、作成したジョブを情報処理装置３０に送信する。
【００５２】
情報処理装置３０は、ジョブを受信すると、新ＩＤを印刷した印刷物を作成する。ユーザは、この印刷物を、現品票として、ガラス原料１を収容する容器２に貼付する。
【００５３】
次いで、熱処理工程Ｓ２０では、熱処理装置が、ロットＬ１０として投入されたガラス原料１を熱処理して所定形状のガラスブロック３を作製する。熱処理工程Ｓ２０の開始時などに、ユーザは、情報処理装置３０を用いて、熱処理工程Ｓ２０に関する工程情報、ユーザの識別情報を入力する。情報処理装置３０は、入力された情報を管理装置２０に送信する。
【００５４】
管理装置２０は、これらの情報を受信すると、ユーザが熱処理工程Ｓ２０に関する工程情報を登録する権限を有していることを確認した後、受信した工程情報を、ロットＬ１０のＩＤと対応付けてデータベース２２に記憶して、ワークの履歴情報を更新する。
【００５５】
熱処理工程Ｓ２０の後、ユーザは、ガラスブロック３を容器に収容し、収容した容器に、熱処理工程Ｓ２０の前に作成した現品票をそのまま貼り直す。
【００５６】
次いで、切断工程Ｓ２２では、切断機が、ロットＬ１０として設置されたガラスブロック３を切断して複数枚のガラス板４を作製する。切断工程Ｓ２２の開始時などに、ユーザは、情報処理装置３０を用いて、切断工程Ｓ２２に関する工程情報、ユーザの識別情報を入力する。情報処理装置３０は、入力された情報を管理装置２０に送信する。
【００５７】
管理装置２０は、これらの情報を受信すると、ユーザが切断工程Ｓ２２に関する工程情報を登録する権限を有していることを確認した後、受信した工程情報を、ロットＬ１０のＩＤと対応付けてデータベース２２に記憶して、ワークの履歴情報を更新する。
【００５８】
切断工程Ｓ２２の後、ユーザは、複数枚のガラス４を容器に収容し、収容した容器に、熱処理工程Ｓ２０の前に作成した現品票をそのまま貼り直す。
【００５９】
次いで、１次研磨工程Ｓ２４に進む前に、ユーザは、ロットＬ１０を分割すると共に、情報処理装置３０を用いて、ロットＬ１０の分割を示す分割情報、ユーザの識別情報を入力する。情報処理装置３０は、入力された情報を管理装置２０に送信する。
【００６０】
管理装置２０は、これらの情報を受信すると、ユーザの識別情報などに基づいてユーザが分割情報に基づいてＩＤを更新する権限を有していることを確認した後、受信した分割情報に基づいて、図３に示すように、分割前のロットＬ１０のＩＤを、分割後の１つのロットＬ１１のＩＤとするようにデータベース２２を更新する。
【００６１】
この更新の際、管理装置２０は、分割後の残りのロットＬ１２のＩＤを新たに作成して、データベース２２に記憶する。また、この更新の際、管理装置２０は、図８に示すように、分割の前後における旧ＩＤと新ＩＤとの対応関係、および分割後（または分割前）に行われる直近の処理工程の種類を、データベース２２に記憶する。
【００６２】
この更新に伴って、管理装置２０は、新ＩＤを印刷物に印刷するためのジョブを作成し、作成したジョブを情報処理装置３０に送信する。
【００６３】
情報処理装置３０は、ジョブを受信すると、新ＩＤを印刷した印刷物を作成する。ユーザは、この印刷物を、現品票として、新ＩＤが割り当てられたロットＬ１２に添付する。なお、分割前のＩＤを継承したロットＬ１１には、熱処理工程Ｓ２０の前に作成した現品票をそのまま添付する。
【００６４】
次いで、１次研磨工程Ｓ２４では、１次研磨機が、ロットＬ１１〜Ｌ１２毎にガラス板４を１次研磨する。１次研磨工程Ｓ２４の開始時などに、上記と同様にして、１次研磨工程Ｓ２４に関する工程情報をロットＬ１１〜Ｌ１２のＩＤと対応付けてデータベース２２に記憶して、ワークの履歴情報を更新する。
【００６５】
１次研磨工程Ｓ２４後、ユーザは、ガラス板４をロットＬ１１、Ｌ１２毎に容器に収容し、収容した容器に現品票を貼り直す。
【００６６】
次いで、２次研磨工程Ｓ２６に進む前に、ユーザは、各ロットＬ１１、Ｌ１２をさらに分割すると共に、情報処理装置３０を用いて、各ロットＬ１１、Ｌ１２の分割を示す分割情報、ユーザの識別情報を入力する。情報処理装置３０は、入力された情報を管理装置２０に送信する。
【００６７】
管理装置２０は、これらの情報を受信すると、ユーザの識別情報などに基づいてユーザが分割情報に基づいてＩＤを更新する権限を有していることを確認した後、受信した分割情報に基づいて、図３に示すように、分割前のロットＬ１１のＩＤを、分割後の１つのロットＬ１３のＩＤとするようにデータベース２２を更新する。同様に、分割前のロットＬ１２のＩＤを、分割後の１つのロットＬ１６のＩＤとする。
【００６８】
この更新の際、管理装置２０は、分割後の残りの各ロットＬ１４、Ｌ１５、Ｌ１７、Ｌ１８のＩＤを新たに作成して、データベース２２に記憶する。また、この更新の際、管理装置２０は、図８に示すように、分割前後における旧ＩＤと新ＩＤとの対応関係、および分割後（または分割前）に行われる直近の処理工程の種類をデータベース２２に記憶する。
【００６９】
この更新に伴って、管理装置２０は、新ＩＤを印刷物に印刷するためのジョブを作成し、作成したジョブを情報処理装置３０に送信する。
【００７０】
情報処理装置３０は、ジョブを受信すると、新ＩＤ毎に、新ＩＤを印刷した印刷物を作成する。ユーザは、この印刷物を、現品票として、新ＩＤが割り当てられたロットＬ１４、Ｌ１５、Ｌ１７、Ｌ１８に添付する。なお、分割前のＩＤを継承したロットＬ１３、Ｌ１６には、古い現品票をそのまま添付する。
【００７１】
次いで、２次研磨工程Ｓ２６では、２次研磨機が、ロットＬ１３〜Ｌ１８毎にガラス板４を２次研磨する。２次研磨工程Ｓ２６の開始時などに、上記と同様にして、２次研磨工程Ｓ２６に関する工程情報を、ロットＬ１３〜Ｌ１８のＩＤと対応付けてデータベース２２に記憶して、ワークの履歴情報を更新する。
【００７２】
２次研磨工程Ｓ２６後、ユーザは、ガラス板４をロットＬ１３〜Ｌ１８毎に容器に収容し、収容した容器に現品票を貼り直す。
【００７３】
次いで、梱包工程Ｓ２８に進む前に、ユーザは、ロットＬ１３〜Ｌ１８を所定の組合せで統合すると共に、情報処理装置３０を用いて、各ロットＬ１３〜Ｌ１８の統合を示す統合情報、ユーザの識別情報を入力する。情報処理装置３０は、入力された情報を管理装置２０に送信する。
【００７４】
管理装置２０は、これらの情報を受信すると、ユーザの識別情報などに基づいてユーザが統合情報に基づいてＩＤを更新する権限を有していることを確認した後、受信した統合情報に基づいて、図３に示すように、統合前の複数のロットＬ１３、Ｌ１４のＩＤのうちの１つを、統合後のロットＬ１９のＩＤとするようにデータベース２２を更新する。その他の統合後のロットＬ２０、Ｌ２１のＩＤについても同様にして決定し、データベース２２に記憶する。
【００７５】
この更新の際、管理装置２０は、統合の前後における旧ＩＤと新ＩＤとの対応関係、および統合後（または統合前）に行われる直近の処理工程の種類をデータベース２２に記憶する。
【００７６】
次いで、梱包工程Ｓ２８では、梱包装置が、ロットＬ１９〜Ｌ２１毎にガラス板４を梱包する。このとき、ユーザは、情報処理装置３０を用いて、梱包工程Ｓ２８に関する工程情報、ユーザの識別情報を入力する。情報処理装置３０は、入力された情報を管理装置２０に送信する。
【００７７】
管理装置２０は、これらの情報を受信すると、ユーザの識別情報などに基づいてユーザが統合情報に基づいてＩＤを更新する権限を有していることを確認した後、受信した工程情報を、各ロットＬ１９〜Ｌ２１のＩＤと対応付けてデータベース２２に記憶して、ワークの履歴情報を更新する。
【００７８】
梱包工程Ｓ２８の後、ユーザは、ガラス板４を梱包した箱５に現品票を貼付して、出荷する。このようにして、管理システム１０は、ワークの履歴情報を、ワークのロット毎に管理する。
【００７９】
ユーザは、ワークの履歴情報を閲覧する場合、情報処理装置３０を用いて、ワークの履歴情報の閲覧を要求する旨の要求情報、ユーザの識別情報を入力する。要求情報は、ユーザが指定するロットのＩＤなどの情報を含んでいる。情報処理装置３０は、入力された情報を管理装置２０に送信する。
【００８０】
管理装置２０は、これらの情報を受信すると、まず、ユーザの識別情報と、データベース２２に記憶された認証情報とを照合して、ユーザが情報を閲覧する権限を有していることを確認する。次いで、管理装置２０は、データベース２２を検索して、ユーザが指定するロットのＩＤ、および該ＩＤと分割、統合の関係にあるＩＤに対応する、ワークの履歴情報を情報処理装置３０に送信する。
【００８１】
情報処理装置３０は、ワークの履歴情報を管理装置２０から受信すると、受信した情報を画像として表示装置３２に表示する。ユーザは、この画像をみることで、予め指定したロットのＩＤに対応するワークの履歴情報を知ることができる。
【００８２】
以上、本発明の一実施形態について説明したが、本発明は、上記実施形態に制限されることはなく、本発明の範囲を逸脱することなく、上記実施形態に種々の変形および置換を加えることができる。
【００８３】
例えば、上記実施形態の情報処理装置３０は、携帯可能な装置であるとしたが、例えば、据え置き型のコンピュータなどで構成されても良い。
【００８４】
また、上記実施形態では、図３に示すように、ワークの形態が変化するときに、形態変化前のロットのＩＤを、形態変化後のロットに継承させたが、継承させることなく、形態変化後のロットのＩＤを新たに作成しても良い。前者の場合、ロットのＩＤの数を削減でき、後者の場合、ワークの形態毎に情報を管理でき、ワークの形態毎に情報を検索できる。
【符号の説明】
【００８５】
１０  管理システム
２０  管理装置
２２  データベース
２４  管理部
３０  情報処理装置
３２  表示装置
３４  読み取り装置
３６  プリンタ
４０  ネットワーク
【図１】
2012068975.tif 000003
【図２】
2012068975.tif 000004
【図３】
2012068975.tif 000005
【図４】
2012068975.tif 000006
【図５】
2012068975.tif 000007
【図６】
2012068975.tif 000008
【図７】
2012068975.tif 000009
【図８】
2012068975.tif 000010
【図９】
2012068975.tif 000011
【図１０】
2012068975.tif 000012